(57)【要約】【課題】本などを立て掛け使用することのできる新規な立て掛け用マットを提供すること。【解決手段】  平面状に展開可能な可撓性を有するマット本体と、  前記立て掛け用マットに設けられ、物品を立て掛けて使用可能な立て掛け部と、  を備え、  前記立て掛け部は、円柱状又は円筒状に形成されている、立て掛け用マット。【選択図】図１
2020192252.tif 000002
【特許請求の範囲】
【請求項１】
平面状に展開可能であり、かつ、可撓性を有するマット本体と、
前記マット本体に設けられ、物品を立て掛けて使用可能な立て掛け部と、
を備え、
前記立て掛け部は、円柱状又は円筒状に形成されている、立て掛け用マット。
【請求項２】
前記立て掛け部は前記マット本体の表面に添って延びている、請求項１に記載の立て掛け用マット。
【請求項３】
前記マット本体は、前記立て掛け部との接続辺を有し、
該接続辺は立て掛け部の母線の長さと略同一である、請求項１又は２に記載の立て掛け用マット。
【請求項４】
前記マット本体が留紐を有する、請求項３に記載の立て掛け用マット。
【請求項５】
前記立て掛け部３は、
略円筒状の芯材と、
該芯材の周面を覆う被覆部と、
を有し、
前記芯材は軸方向に延びるスリット部を有することを特徴とする、請求項１〜４の何れか一項に記載の立て掛け用マット。
【請求項６】
前記芯材は発泡ポリエチレンからなることを特徴とする、請求項５に記載の立て掛け用マット。
【請求項７】
前記マット本体は布材からなり、
前記布材は、縫い目を設けることにより形成された起伏を有することを特徴とする、請求項１〜６の何れか一項に記載の立て掛け用マット。
【発明の詳細な説明】
【技術分野】
【０００１】
本発明は、立て掛け用マットに関する。
【背景技術】
【０００２】
読書をするにあたり、ベッドにうつ伏せになり本を読むスタイル、ソファーに座って本を読むスタイル、椅子に座り机上に置いた本を読むスタイルなど、個々人によって種々な読書スタイルがある。
【０００３】
ここで、椅子に座り机上に置いた本を読むスタイルでは、手で本を持ち続けているため、本が重く感じるようになる。そして本が重く感じるようになることから、本を支え続けるのが大変である、本の角度の維持が難しい、ページを送る際に本が安定しない、などといった問題がある。
【０００４】
従来技術として、特許文献１には、書見台本体と、書見台の角度を保つ脚及び、書籍等を押さえる鉄板とを備える書見台が開示されている。
【０００５】
また、特許文献２には、レバーの端をレバー軸締め螺子で摺動出来るように軸着した書見台が開示されている。
【０００６】
また、特許文献３には、半球状の支持部を備える書見台が開示されている。
【先行技術文献】
【特許文献】
【０００７】
【特許文献１】特開２００４−２１６０１７号公報
【特許文献２】特開２００６−２６３４０１号公報
【特許文献３】特開２０１４−４３１１号公報
【発明の概要】
【発明が解決しようとする課題】
【０００８】
上記先行技術のあるところ、本発明は、新規な立て掛け用マットを提供することを課題とする。
より具体的には、本発明は、読書をするにあたり、本を補助的に支えることのできる立て掛け用マットを提供することを課題とする。
【課題を解決するための手段】
【０００９】
上記課題を解決する本発明は、平面状に展開可能であり、かつ、可撓性を有するマット本体と、
前記マット本体に設けられ、物品を立て掛けて使用可能な立て掛け部と、
を備え、
前記立て掛け部は、円柱状又は円筒状に形成されている、立て掛け用マットである。
【００１０】
本発明によれば、立て掛け部に本の背部分（物品の背面）をあてがい、マット本体に本の地部分（物品の下部）を配置することで、簡便に本（物品）を立て掛けることができる（図１  参照）。
ここで、立て掛け部がマット本体に設けられていることで、上記のように本（物品）を配置したときに、本の地部分（物品の下部）が本実施例の立て掛け用マットを押さえる働きをする。本の地部分（物品の下部）が本実施例の立て掛け用マットを押さえる働きをすることで、立て掛けた本（物品）が安定する。すなわち、本発明によれば、本（物品）を補助的に支えることができる（図１  参照）。
そして、立て掛け部が円柱状又は円筒状に形成されている（図４  参照）ことで、使用者は、本（物品）の傾きを簡便に調整することができる（図１  参照）。
また、マット本体が平面状に展開可能であり、かつ、可撓性を有することで、未使用時には、マット本体を立て掛け部に巻き付けることができる。そして、マット本体を立て掛け部に巻き付けることで、立て掛け用マットを巻物状とすることができ（図４  参照）、簡便に、かつ、スペースを要さずに収納することができる。
【００１１】
また、本発明の好ましい実施の形態では、前記立て掛け部は前記マット本体の表面に添って延びていることを特徴とする。
上記形態とすることで、未使用時には、マット本体を、立て掛け部に巻き付けることで立て掛け用マットを巻物状とすることができ（図４  参照）、簡便に、かつ、スペースを要さずに収納することができる。
また、上記形態とすることで、使用者は、読書に際し、自分の腕をマット本体上に配置することができ（図１  参照）、より、長い時間の読書を楽しむことができる。
【００１２】
また、本発明の好ましい実施の形態では、前記マット本体は、前記立て掛け部との接続辺を有し、
該接続辺は立て掛け部の母線の長さと略同一である。
上記の形態とすることで、未使用時には、マット本体を、立て掛け部に巻き付け、簡便に、かつ、スペースを要さずに収納することができる。
【００１３】
また、本発明の好ましい実施の形態では、前記マット本体が留紐を有する。マット本体が留紐を有することで、マット本体を立て掛け部に巻き付けた状態で保持できる。
【００１４】
また、本発明の好ましい実施の形態では、前記立て掛け部は、
略円筒状の芯材と、
該芯材の周面を覆う被覆部と、
を有し、
前記芯材は軸方向に延びるスリット部を有することを特徴とする。
上記形態とすることで、立て掛け部に本の背部分（物品の背面）をあてがい、マット本体に本の地部分（物品の下部）を配置し本（物品）を立て掛けることができる。そして、本（物品）を立て掛けたときに、本の背部分（物品の背面）の重荷によって、芯材が適度に沈み込む。芯材３１が適度に沈み込むことで、本（物品）が安定する。
また、上記形態とすることで、立て掛け部に本の背部分（物品の背面）をあてがい、マット本体に本の地部分（物品の下部）を配置し本（物品）を立て掛けることができる。そして、本（物品）を立て掛けたときに、本の背部分（物品の背面）と被覆部との間に摩擦が生じる。そのため、上記のように本（物品）を配置したときに、本（物品）がより安定する。
また、布材により形成されていることで、上記のように本（物品）を配置したときに、本の背部分（物品の背面）が傷つかない。
【００１５】
また、本発明の好ましい実施の形態では、前記芯材は発泡ポリエチレンを含む材からなる。
発泡ポリエチレンを含む材を用いることで、立て掛け部に本の背部分（物品の背面）をあてがい、マット本体に本の地部分（物品の下部）を配置し本（物品）を立て掛けることができる。そして、本（物品）を立て掛けたときに、本の背部分（物品の背面）の重荷によって、芯材が適度に沈み込む。芯材３１が適度に沈み込むことで、本（物品）が安定する。
【００１６】
また、本発明の好ましい実施の形態では、前記マット本体は布材からなり、
前記布材は、縫い目を設けることにより形成された起伏（図３  参照）を有することを特徴とする（図３  参照）。
縫い目を設けることにより形成された起伏（図３  参照）を有することで、立て掛け部に本の背部分（物品の背面）をあてがい、マット本体に本の地部分（物品の下部）を配置し本（物品）を立て掛けることができる。そして、本（物品）を立て掛けたときに、本の地部分（物品の下部）がマット本体に設けられた起伏に引っかかる。そのため、上記のように本（物品）を配置したときに、本（物品）がより安定する（図１  参照）。
【発明の効果】
【００１７】
本発明によれば、物品を支えることのできる新規な立て掛け用マットを提供することができる。
より具体的には、本発明によれば、読書をするにあたり、補助的に本を支えることのできる新規な立て掛け用マットを提供することができる。
【図面の簡単な説明】
【００１８】
【図１】本発明の読書立て掛け用マットの使用状態を示す参考模式図である。
【図２】（ａ）本発明の読書立て掛け用マット（展開状態）の側面図である。（ｂ）本発明の読書立て掛け用マット（展開状態）の正面図である。（ｃ）本発明の読書立て掛け用マット（展開状態）の斜視図である。
【図３】（ａ）本発明の読書マット本体の拡大図である。（ｂ）図３（ａ）のＡ−Ａ断面図である。
【図４】（ａ）芯材の拡大図である。（ｂ）芯材の全体図である。（ｃ）立て掛け部が、略円筒状の芯材と、該芯材の周面を覆う被覆部とからなることを示す参考模式図である。
【発明を実施するための形態】
【００１９】
以下、本発明の立て掛け用マット１の実施例について説明するが、本発明の技術的範囲は実施例に限定されないことは言うまでもない。
【００２０】
本実施例の立て掛け用マット１は、
平面状に展開可能であり、かつ、可撓性を有するマット本体２と、
マット本体２に設けられ、物品Ｘを立て掛けて使用可能な立て掛け部３とを備える（図１  参照）。
そして、立て掛け部３は、円柱状又は円筒状に形成されている（図４  参照）。
【００２１】
本実施例の立て掛け用マット１によれば、立て掛け部３に本の背部分（物品Ｘの背面）をあてがい、マット本体２に本の地部分（物品Ｘの下部）を配置することで、簡便に、本（物品Ｘ）を立て掛けることができる。ここで、立て掛け部３が、マット本体２に設けられている構成とすることで、上記のように本（物品Ｘ）を配置したときに、本の地部分（物品Ｘの下部）が本実施例の立て掛け用マットを押さえる働きをする。そのため、立て掛けた本（物品Ｘ）が安定する。すなわち、本実施例の立て掛け用マット１によれば、本（物品Ｘ）を補助的に支えることができる。
そして、立て掛け部３が円柱状又は円筒状に形成されている（図４  参照）ことで、使用者は、本（物品Ｘ）の傾きを簡便に調整することができる。
また、マット本体２が平面状に展開可能であり、かつ、可撓性を有することで、未使用時には、マット本体２を、立て掛け部３に巻き付けることで立て掛け用マット１を巻物状とすることができ（図４  参照）、簡便に、かつ、スペースを要さずに収納することができる。
【００２２】
ここで、物品Ｘは、本、ノート、手帖、アルバム、スマートフォン、タブレット端末などの何れであってもよい。
【００２３】
以下、マット本体２について、図１〜３を用いて説明する。
【００２４】
本実施例においてマット本体２は、キルト生地により、形成されている。
ここで、キルト生地は、布材に縫い目２３を設けることにより形成された起伏（図３  参照）を有する。布材に縫い目２３を設けることにより形成された起伏（図３  参照）を有する形態であることで、立て掛け部３に本の背部分（物品Ｘの背面）をあてがい、マット本体２に本の地部分（物品Ｘの下部）を配置し本（物品Ｘ）を立て掛けることができる。そして、本（物品Ｘ）を立て掛けたときに、本の地部分（物品Ｘの下部）がマット本体２に設けられた起伏に引っかかる。そのため、上記のように本（物品Ｘ）を配置したときに、本（物品Ｘ）がより安定する。
【００２５】
ただし、マット本体２は、起伏（図３  参照）を有する形態であれば、その手段に特に制限はない。また、起伏は、マット本体２全体に設けられている必要はなく、例えば、立て掛け部３に本の背部分（物品Ｘの背面）をあてがい、マット本体２に本の地部分（物品Ｘの下部）を配置し本（物品Ｘ）を立て掛けたときに、本の地部分（物品Ｘの下部）がマット本体２に接地する部分に、起伏（図３  参照）を有する形態とすることもできる。
【００２６】
ここで、マット本体２は、布材により形成されていることが好ましい。
布材により形成されていることで、立て掛け部３に本の背部分（物品Ｘの背面）をあてがい、マット本体２に本の地部分（物品Ｘの下部）を配置し本（物品Ｘ）を立て掛けることができる。そして、本（物品Ｘ）を立て掛けたときに、本の地部分（物品Ｘの下部）とマット本体２との間に摩擦が生じる。そのため、上記のように本（物品Ｘ）を配置したときに、本（物品Ｘ）がより安定する。
また、布材により形成されていることで、上記のように本（物品Ｘ）を配置したときに、本の地部分（物品Ｘの下部）が傷つかない。
【００２７】
なお、マット本体２は、平面状に展開可能であり、かつ、可撓性を有するものであれば、その材質に特に制限はない。マット本体２が平面状に展開可能であり、かつ、可撓性を有することで、未使用時には、マット本体２を、立て掛け部３に巻き付けることで物品Ｘを巻物状（図４  参照）とすることができ、簡便に、かつ、スペースを要さずに収納することができる。
【００２８】
また、本実施例において、マット本体２は、留紐２２を有する。マット本体２が留紐２２を有することで、マット本体２を立て掛け部３に巻き付けた状態で保持できる。
ここで、本実施例の立て掛け用マット１は、留紐２２を用い、紐部を立て掛け部３に周回させ、留具を紐部とマット本体２の間に侵入させることで、マット本体２を立て掛け部３に巻き付けた状態で保持する。
ただし、本発明においては、マット本体２を立て掛け部３に巻き付けた状態で保持可能とする手段であれば、必ずしも上記方法に依る必要はない。
【００２９】
本実施例では、立て掛け部３は前記マット本体の表面に添って延びている。
上記形態とすることで、未使用時には、マット本体２を、立て掛け部３に巻き付けることで立て掛け用マット１を巻物状とすることができ（図４  参照）、簡便に、かつ、スペースを要さずに収納することができる。
また、上記形態とすることで、使用者は、自分の腕をマット本体２上に配置することができ（図１  参照）、より、長い時間の読書を楽しむことができる。
【００３０】
本実施例において、マット本体２は、立て掛け部３との接続辺２１を有し、
該接続辺２１は立て掛け部３の母線の長さと略同一である（図１  参照）。
ただし、マット本体２は立て掛け部３との接続辺２１を有する形態であれば、その形状、大きさに特に制限はない。
上記の形態とすることで、未使用時には、マット本体２を、立て掛け部３に巻き付け、簡便に、かつ、スペースを要さずに収納することができる。
【００３１】
本実施例において、マット本体２は略長方形に形成されている（図１  参照）。
ただし、マット本体２は、その形状にも特に制限はなく、例えば、正方形、長方形、台形、菱型等の四角形、三角形、円形、楕円形等の何れであってもよい。
【００３２】
本発明のマット本体２が略長方形に形成されている場合の、より好ましい形態について、より詳細に説明する。
【００３３】
マット本体２が略長方形に形成されている場合の、立て掛け部３母線方向の長さは、好ましくは２０ｃｍ以上、より好ましくは４０ｃｍ以上、さらに好ましくは５０ｃｍ以上である。
マット本体２の、立て掛け部３母線方向の長さが下限以上であることで、使用者は、読書に際し、自分の腕をマット本体２上に配置することができ（図１  参照）、より、長い時間の読書を楽しむことができる。
【００３４】
マット本体２が略長方形に形成されている場合の、立て掛け部３母線方向の長さは、好ましくは８０ｃｍ以下、より好ましくは６０ｃｍ以下、さらに好ましくは５５ｃｍ以下である。
マット本体２の、立て掛け部３母線方向の長さが上限以下であることで、使用者は、読書に際し、本発明の立て掛け用マット１を机上に簡便に配置することができる。
【００３５】
マット本体２が略長方形に形成されている場合の、マット本体２の、立て掛け部３母線に対して垂直方向の長さは、好ましくは１０ｃｍ以上、より好ましくは２０ｃｍ以上、さらに好ましくは３０ｃｍ以上である。
マット本体２の、立て掛け部３の母線に対して垂直方向の長さが下限以上であることで、使用者は、読書に際し、自分の腕をマット本体２上に配置することができ（図１  参照）、より、長い時間の読書を楽しむことができる。
【００３６】
マット本体２が略長方形に形成されている場合の、マット本体２の、立て掛け部３母線に対して垂直方向の長さは、好ましくは６０ｃｍ以下、より好ましくは５０ｃｍ以下、さらに好ましくは４０ｃｍ以下である。
マット本体２の、立て掛け部３の母線に対して垂直方向の長さが上限以下であることで、使用者は、読書に際し、本発明の立て掛け用マットを机上に簡便に配置することができる。
【００３７】
以下、立て掛け部３について図１〜図４を用いて説明する。
【００３８】
立て掛け部３は、円柱状又は円筒状に形成されている（図４  参照）。
ここで、立て掛け部３の母線方向の長さは、好ましくは２０ｃｍ以上、より好ましくは４０ｃｍ以上、さらに好ましくは５０ｃｍ以上である。
立て掛け部３の母線方向の長さが下限以上であることで、使用者は、読書に際し、簡便に本（物品Ｘ）を配置することができる。
【００３９】
また、立て掛け部３の母線方向の長さは、好ましくは８０ｃｍ以下、より好ましくは６０ｃｍ以下、さらに好ましくは５５ｃｍ以下である。
立て掛け部３の母線方向の長さが上限以下であることで、使用者は、読書に際し、本発明の立て掛け用マットを机上に簡便に配置することができる。
【００４０】
また、立て掛け部３の直径は、好ましくは４ｃｍ以上、より好ましくは５ｃｍ以上、さらに好ましくは８ｃｍ以上である。
立て掛け部３の直径が下限以上であることで、使用者は、簡便に本（物品Ｘ）を立て掛け用マット１に配置することができる。また、立て掛け部３の直径が下限以上であることで、使用者は、本（物品Ｘ）の傾きを簡便に調整することができる。
【００４１】
また、立て掛け部３の直径は、好ましくは１５ｃｍ以下、より好ましくは１２ｃｍ以下、さらに好ましくは１０ｃｍ以下である。
立て掛け部３の直径が上限以下であることで、使用者は、読書に際し、簡便に本（物品Ｘ）を配置することができる。また、立て掛け部３の直径が上限以下であることで、使用者は、本（物品Ｘ）の傾きを簡便に調整することができる。
【００４２】
本実施例において、立て掛け部３は、
略円筒状の芯材３１と、
該芯材３１の周面を覆う被覆部３２と、
を有する。
上記形態とすることで、立て掛け部３に本の背部分（物品Ｘの背面）をあてがい、マット本体２に本の地部分（物品Ｘの下部）を配置し本（物品Ｘ）を立て掛けることができる。そして、本（物品Ｘ）を立て掛けたときに、本の背部分（物品Ｘの背面）の重荷によって、適度に芯材３１が沈み込む。芯材３１が沈み込むことで、本（物品Ｘ）が安定する。
【００４３】
また、上記形態とすることで、立て掛け部３に本の背部分（物品Ｘの背面）をあてがい、マット本体２に本の地部分（物品Ｘの下部）を配置し本（物品Ｘ）を立て掛けることができる。そして、本（物品Ｘ）を立て掛けたときに、本の背部分（物品Ｘの背面）と被覆部３２との間に摩擦が生じる。そのため、上記のように本（物品Ｘ）を配置したときに、本（物品Ｘ）がより安定する。
また、布材により形成されていることで、上記のように本（物品Ｘ）を配置したときに、本の背部分（物品Ｘの背面）が傷つかない。
【００４４】
以下、芯材３１について、より詳細を説明する。
【００４５】
本実施例において、芯材３１は、略円筒状に形成されている。そして、芯材３１は軸方向に延びるスリット部３１１を有する。
芯材３１が軸方向に延びるスリット部３１１を有する略円筒状に形成されていることで、立て掛け部３に本の背部分（物品Ｘの背面）をあてがい、マット本体２に本の地部分（物品Ｘの下部）を配置し本（物品Ｘ）を立て掛けたときに、本の背部分（物品Ｘの背面）の重荷によって、芯材３１が適度に沈み込む。芯材３１が適度に沈むことで、本（物品Ｘ）が安定する。
また、芯材３１が軸方向に延びるスリット部３１１を有する略円筒状に形成されていることで、本の背部分（物品Ｘの背面）の重荷がなくなったときにも、芯材３１の形状が崩れず、長期間にわたって使用が可能である。
【００４６】
本実施例において、芯材３１は、発泡ポリエチレンを含む材（ポリエチレンフォーム  ライトチューブ  （株式会社イノアック住環境  製））からなる。
発泡ポリエチレンを含む材を用いることで、立て掛け部３に本の背部分（物品Ｘの背面）をあてがい、マット本体２に本の地部分（物品Ｘの下部）を配置し本（物品Ｘ）を立て掛けたときに、本の背部分（物品Ｘの背面）の重荷によって、適度に芯材３１が沈み込む。芯材３１が適度に沈み込むことで、本（物品Ｘ）が安定する。
また、本の背部分（物品Ｘの背面）の重荷がなくなったときにも、芯材３１の形状が崩れず、長期間にわたって使用が可能である。
【００４７】
ただし、本発明においては、芯材３１は、発泡樹脂からなる形態であってもよい。
また、本発明においては、芯材３１は弾性変形可能に形成されている形態であればよい。
ここで、弾性変形可能とは、外力によって変形することができるが、外力を取り除いたときに元の形状に復元できることを意味する。
芯材３１が弾性変形可能に形成されていることで、立て掛け部３に本の背部分（物品Ｘの背面）をあてがい、マット本体２に本の地部分（物品Ｘの下部）を配置し本（物品Ｘ）を立て掛けたときに、本の背部分（物品Ｘの背面）の重荷によって、芯材３１が適度に沈み込む。芯材３１が適度に沈み込むことで、本（物品Ｘ）が安定する。
また、芯材３１が軸方向に延びるスリット部３１１を有する略円筒状に形成されていることで、本の背部分（物品Ｘの背面）の重荷がなくなったときにも、芯材３１の形状が崩れず、長期間にわたって使用が可能である。
【００４８】
以下、被覆部３２について、より詳細を説明する。
【００４９】
本実施例において被覆部３２は、キルト生地により、形成されている。
ここで、キルト生地は、布材に縫い目２３を設けることにより形成された起伏（図３  参照）を有する。布材に縫い目２３を設けることにより形成された起伏（図３  参照）を有する形態であることで、立て掛け部３に本の背部分（物品Ｘの背面）をあてがい、マット本体２に本の地部分（物品Ｘの下部）を配置し本（物品Ｘ）を立て掛けることができる。そして、本（物品Ｘ）を立て掛けたときに、本の背部分（物品Ｘの背面）が被覆部３２に設けられた起伏に引っかかる。そのため、上記のように本（物品Ｘ）を配置したときに、本（物品Ｘ）がより安定する。
【００５０】
ただし、被覆部３２は、起伏（図３  参照）を有する形態であれば、その手段に特に制限はない。また、起伏は、被覆部３２全体に設けられている必要はなく、例えば、立て掛け部３に本の背部分（物品Ｘの背面）をあてがい、マット本体２に本の地部分（物品Ｘの下部）を配置し本（物品Ｘ）を立て掛けることができる。そして、本（物品Ｘ）を立て掛けたときに、本の背部分（物品Ｘの背面）が立て掛け部３に接地する部分に、起伏（図３  参照）を有する形態とすることもできる。
また、起伏は、必ずしも被覆部３２が備える必要はなく、立て掛け部３が備える形態であればよい。
【００５１】
ここで、被覆部３２は、布材により形成されていることが好ましい。
布材により形成されていることで、立て掛け部３に本の背部分（物品Ｘの背面）をあてがい、マット本体２に本の地部分（物品Ｘの下部）を配置し本（物品Ｘ）を立て掛けたときに、本の背部分（物品Ｘの背面）と被覆部３２との間に摩擦が生じる。そのため、上記のように本（物品Ｘ）を配置したときに、本（物品Ｘ）がより安定する。
また、布材により形成されていることで、上記のように本（物品Ｘ）を配置したときに、本の背部分（物品Ｘの背面）が傷つかない。
【００５２】
なお、本発明において、立て掛け部３は円柱状又は円筒状に形成されている（図４  参照）ものであれば、その構成、機構、材質、大きさに、特に制限はない。また、立て掛け部３は、本発明の効果を害さない範囲において、湾曲していても良く、また、凹凸を有していてもよい。
【産業上の利用可能性】
【００５３】
本発明は、読書用の立て掛け用マットに応用することができる。
【符号の説明】
【００５４】
１        立て掛け用マット
２        マット本体
２１      接続辺
２２      留紐
２３      縫い目
３        立て掛け部
３１      芯材
３１１    スリット部
３２      被覆部
Ｘ        物品
【図１】
2020192252.tif 000003
【図２】
2020192252.tif 000004
【図３】
2020192252.tif 000005
【図４】
2020192252.tif 000006
【手続補正書】
【提出日】令和2年6月22日(2020.6.22)
【手続補正１】
【補正対象書類名】特許請求の範囲
【補正対象項目名】全文
【補正方法】変更
【補正の内容】
【特許請求の範囲】
【請求項１】
平面状に展開可能であり、かつ、可撓性を有するマット本体と、
前記マット本体に設けられ、物品を立て掛けて使用可能な立て掛け部と、
を備え、
前記立て掛け部は、円柱状又は円筒状に形成され、
前記立て掛け部は、
略円筒状の芯材と、
該芯材の周面を覆う被覆部と、
を有し、
前記芯材は軸方向に延びるスリット部を有することを特徴とする、立て掛け用マット。
【請求項２】
前記芯材は発泡ポリエチレンからなることを特徴とする、請求項１に記載の立て掛け用マット。
【請求項３】
前記立て掛け部は前記マット本体の表面に添って延びている、請求項１又は２に記載の立て掛け用マット。
【請求項４】
前記マット本体は、前記立て掛け部との接続辺を有し、
該接続辺は立て掛け部の母線の長さと略同一である、請求項１〜３の何れか一項に記載立て掛け用マット。
【請求項５】
前記マット本体が留紐を有する、請求項４に記載の立て掛け用マット。
【請求項６】
前記マット本体は布材からなり、
前記布材は、縫い目を設けることにより形成された起伏を有することを特徴とする、請求項１〜５の何れか一項に記載の立て掛け用マット。